(57)【要約】【課題】本発明は、構造物の一部を解体することなく配電盤の前面から換装作業を容易に行うことができ、作業時間及び停電時間を短縮できるレトロフィット用遮断器及びそれを用いての配電盤改修方法を提供することである。【解決手段】配電盤から既設の遮断器を取外した後に、第２アタッチメント６をブスバー８に接続するとともに、第２アタッチメント６を挿通孔５４ａに挿通しつつ配電盤内にガイドレールユニット５を配置し、遮断器本体１をガイドレールユニット５内に挿入することで切欠６２ａに挿入された締付部材４を本締めすることにより、既設の遮断器に代えて遮断器本体１をブスバー８に接続する。【選択図】図６
2014107926.tif 000002
【特許請求の範囲】
【請求項１】
後部に遮断器端子が設けられた遮断器本体と、
前記遮断器端子に取付けられる第１アタッチメントと、
前方から前記遮断器本体が挿入されるように構成されるとともに後部に絶縁板が設けられたガイドレールユニットと、
前記絶縁板に形成された挿通孔に挿通可能に設けられ、前記第１アタッチメントとともに前記遮断器端子と配電盤のブスバーとの間を中継する第２アタッチメントと
を備え、
前記第１及び第２アタッチメント端子のいずれか一方に切欠が形成されるとともに、前記第１及び第２アタッチメント端子の他方に締付部材が仮締めされており、
前記配電盤から既設の遮断器を取外した後に、前記第２アタッチメントを前記配電盤のブスバーに接続するとともに、前記第２アタッチメントを前記挿通孔に挿通しつつ前記配電盤内に前記ガイドレールユニットを配置し、前記遮断器本体を前記ガイドレールユニット内に挿入することで前記切欠に挿入された前記締付部材を本締めすることにより、前記既設の遮断器に代えて前記遮断器本体を前記ブスバーに接続するように構成されている
ことを特徴とするレトロフィット用遮断器。
【請求項２】
前記第１アタッチメントは、前記遮断器端子を挟んで互いに離間して配置されるとともに、前記締付部材が仮締めされた一対の導体板を含んでおり、
前記第２アタッチメントは、前記遮断器本体が前記ガイドレールユニット内に挿入された際に前記導体板の間に進入されるとともに、前記切欠が形成された接続片を含んでいる
ことを特徴とする請求項１記載のレトロフィット用遮断器。
【請求項３】
下部に複数の車輪を有するとともに前記遮断器本体が載置される引出枠体をさらに備え、前記ガイドレールユニットには、前記引出枠体に載せられた前記遮断器本体が挿入されることを特徴とする請求項１又は請求項２に記載のレトロフィット用遮断器。
【請求項４】
後部に遮断器端子が設けられた遮断器本体と、前記遮断器端子に取付けられる第１アタッチメントと、前方から前記遮断器本体が挿入されるように構成されるとともに後部に絶縁板が設けられたガイドレールユニットと、前記絶縁板に形成された挿通孔に挿通可能に設けられ、前記第１アタッチメントとともに前記遮断器端子と配電盤のブスバーとの間を中継する第２アタッチメントとを備え、前記第１及び第２アタッチメント端子のいずれか一方に切欠が形成されるとともに、前記第１及び第２アタッチメント端子の他方に締付部材が仮締めされたレトロフィット用遮断器を用いての配電盤改修方法であって、
前記配電盤から既設の遮断器を取外した後に、前記第２アタッチメントを前記配電盤のブスバーに接続するとともに、前記第２アタッチメントを前記挿通孔に挿通しつつ前記配電盤内に前記ガイドレールユニットを配置し、前記遮断器本体を前記ガイドレールユニット内に挿入することで前記切欠に挿入された前記締付部材を本締めすることにより、前記既設の遮断器に代えて前記遮断器本体を前記ブスバーに接続する
ことを特徴とする配電盤改修方法。
【発明の詳細な説明】
【技術分野】
【０００１】
この発明は、既設の遮断器の代わりに配電盤に設けられるレトロフィット用遮断器及びそれを用いた配電盤改修方法に関する。
【背景技術】
【０００２】
既設の配電盤に収納されている老朽化した既設の遮断器（旧遮断器）を別形式の新しい遮断器（新遮断器）に更新する方法として、例えば特許文献１等に示されているアタッチメント端子方式によるレトロフィット用遮断器を用いる方法がある。アタッチメント端子方式とは、配電盤から旧遮断器を取り外した後に、配電盤のブスバー（接続導体）に対応するパーツ（アタッチメント端子）を新遮断器に取り付け、配電盤側に大幅な改造を加えることなく配電盤側のパーツをそのまま利用して遮断器を更新する方式である。
【０００３】
図７は、従来のアタッチメント端子方式によるレトロフィット用遮断器を示す模式図であり、配電盤のブスバー８と旧遮断器の端子との接続を外して引出枠体ごと旧遮断器を盤外に搬出した後に、遮断器１０１を準備した状態を示している。図７に示されるように、引出枠体１０２に載せられた遮断器１０１の遮断器端子１１０には、旧遮断器の端子位置に合うようにアタッチメント端子１０３が取り付けられている。遮断器端子１１０は、アタッチメント端子１０３を介してブスバー８に接続される。引出枠体１０２には、旧遮断器の据付穴に合致する位置に据付穴を持ったフレーム１０４が取り付けられている。遮断器１０１は、フレーム１０４の据付穴を用いて配電盤に固定される。これらの遮断器１０１の改造作業及び据付作業は、現地にて行われる。
【先行技術文献】
【特許文献】
【０００４】
【特許文献１】特開２００６−９４６０５号公報
【発明の概要】
【発明が解決しようとする課題】
【０００５】
上記のような従来のレトロフィット用遮断器では、アタッチメント端子の取付け、引出枠体へのフレームの取り付け、及び新遮断器の据付等の作業を設置現場にて行う必要がある。これらの作業には相応の時間が必要であるため、配電盤から電力供給を受ける負荷設備の休止時間（停電時間）が長くなるという問題があった。
また、据付現地において例えば重量物の盤内への搬入等の煩雑な作業を伴うため、その費用も多くなるという問題があった。
また、一般的に配電盤の奥側（裏面）や側面には構造物（ブスバー等）が配置されているため、奥側及び側面には人の立ち入るスペースがほとんど無く、奥側及び側面からの作業は困難な場合が多い。唯一、容易に作業できる可能性があるのは前面からだけである。しかし、上記した従来方法では、引出枠体据付後の主回路接続作業（端子ボルトの挿入等）は、配電盤を所定位置に据え付けた後に遮断器の裏側で行う必要があり、前面から容易に行うことができない。このため、従来は、やむなく構造物の一部を解体して、作業者の入り込むスペースを確保するなどの手間を必要とした。
【０００６】
この発明は、上記のような課題を解決するためになされたものであり、その目的は、構造物の一部を解体することなく配電盤の前面から換装作業を容易に行うことができ、作業時間及び停電時間を短縮できるレトロフィット用遮断器及びそれを用いての配電盤改修方法を提供することである。
【課題を解決するための手段】
【０００７】
この発明に係るレトロフィット用遮断器は、後部に遮断器端子が設けられた遮断器本体と、遮断器端子に取付けられる第１アタッチメントと、前方から遮断器本体が挿入されるように構成されるとともに後部に絶縁板が設けられたガイドレールユニットと、絶縁板に形成された挿通孔に挿通可能に設けられ、第１アタッチメントとともに遮断器端子と配電盤のブスバーとの間を中継する第２アタッチメントとを備え、第１及び第２アタッチメント端子のいずれか一方に切欠が形成されるとともに、第１及び第２アタッチメント端子の他方に締付部材が仮締めされており、配電盤から既設の遮断器を取外した後に、第２アタッチメントを配電盤のブスバーに接続するとともに、第２アタッチメントを挿通孔に挿通しつつ配電盤内にガイドレールユニットを配置し、遮断器本体をガイドレールユニット内に挿入することで切欠に挿入された締付部材を本締めすることにより、既設の遮断器に代えて遮断器本体をブスバーに接続するように構成されている。
【０００８】
また、この発明の配電盤改修方法は、後部に遮断器端子が設けられた遮断器本体と、遮断器端子に取付けられる第１アタッチメントと、前方から遮断器本体が挿入されるように構成されるとともに後部に絶縁板が設けられたガイドレールユニットと、絶縁板に形成された挿通孔に挿通可能に設けられ、第１アタッチメントとともに遮断器端子と配電盤のブスバーとの間を中継する第２アタッチメントとを備え、第１及び第２アタッチメント端子のいずれか一方に切欠が形成されるとともに、第１及び第２アタッチメント端子の他方に締付部材が仮締めされたレトロフィット用遮断器を用いての配電盤改修方法であって、配電盤から既設の遮断器を取外した後に、第２アタッチメントを配電盤のブスバーに接続するとともに、第２アタッチメントを挿通孔に挿通しつつ配電盤内にガイドレールユニットを配置し、遮断器本体をガイドレールユニット内に挿入することで切欠に挿入された締付部材を本締めすることにより、既設の遮断器に代えて遮断器本体をブスバーに接続する。
【発明の効果】
【０００９】
この発明のレトロフィット用遮断器及びそれを用いての配電盤改修方法によれば、遮断器本体をガイドレールユニット内に挿入することで切欠に挿入された締付部材を本締めすることにより、既設の遮断器に代えて遮断器本体をブスバーに接続するので、配電盤前面からの狭いスペースでも盤奥に締付工具と手が入れば接続作業が可能になり、すべての作業は盤前面から行うことができる。これにより、構造物の一部を解体することなく配電盤の前面から換装作業を容易に行うことができ、作業時間及び停電時間を短縮できる。
【図面の簡単な説明】
【００１０】
【図１】この発明の実施の形態によるレトロフィット用遮断器に含まれる遮断器本体と引出枠体とを示す斜視図である。
【図２】図１の第１アタッチメントを示す平面図である。
【図３】この発明の実施の形態によるレトロフィット用遮断器に含まれるガイドレールユニットを示す斜視図である。
【図４】図３の第２アタッチメントを示す平面図である。
【図５】図４の第２アタッチメントを示す側面図である。
【図６】図１〜図５のレトロフィット用遮断器を用いての配電盤改修方法を示す説明図である。
【図７】従来のレトロフィット用遮断器を用いての配電盤改修方法を示す説明図である。
【発明を実施するための形態】
【００１１】
図１はこの発明の実施の形態によるレトロフィット用遮断器に含まれる遮断器本体１と引出枠体２とを示す斜視図であり、図２は図１の第１アタッチメント３を示す平面図である。図１において遮断器本体１は、既設の遮断器（旧遮断器）に代えて配電盤に取付けられるものであり、下部に複数の車輪２０を有する引出枠体２上に載置されている。すなわち、遮断器本体１は、引出枠体２上に載せられることで前後に移動可能とされている。遮断器本体１の後部には、引出枠体２から後方に突出された複数の遮断器端子１０が設けられている。なお、遮断器本体１の後部とは、遮断器本体１が配電盤に取付けられる際に配電盤側に位置する部分である。以下、各構成の後部及び後方は配電盤側（奥側）を意味し、各構成の前部及び前方は反配電盤側（手前側）を意味することとする。
【００１２】
各遮断器端子１０には、第１アタッチメント３がそれぞれ取付けられている。図２に示すように、第１アタッチメント３は、遮断器端子１０を挟んで互いに離間して配置された一対の導体板３０と、遮断器端子１０の先端に導体板３０を締結するボルト３１とをそれぞれ含んでいる。各導体板３０の先端側には、締付部材４（締結ボルト）が取付けられている。図１のように遮断器本体１が配電盤に取付けられる前の状態では、締付部材４は導体板３０に仮締めされている。締付部材４が本締めされることにより、導体板３０間のギャップ３０ａが狭くされる。
【００１３】
次に、図３は、この発明の実施の形態によるレトロフィット用遮断器に含まれるガイドレールユニット５を示す斜視図である。図３に示すガイドレールユニット５は、配電盤から旧遮断器が取り外された後に遮断器本体１よりも先に配電盤内に設置されるものである。ガイドレールユニット５には、一対のガイドレール５０、一対の柱材５１、一対の連結材５２、底板５３、及び絶縁板５４が含まれている。ガイドレール５０は、互いに離間して配置された長手状のＬ字部材である。柱材５１は、各ガイドレール５０の後部から立設された長手状のＬ字部材である。連結材５２は、柱材５１の上部とガイドレール５０の前部とを連結する平板部材である。底板５３は、ガイドレール５０間を連結する板状部材である。絶縁板５４は、柱材５１間を連結する絶縁体からなる板状部材である。すなわち、ガイドレールユニット５は、遮断器本体１が配電盤に取付けられる際に前方から遮断器本体１が挿入されるように構成された枠状体である。このガイドレールユニット５は、工場等において予め組み立てられたものである。
【００１４】
各ガイドレール５０の上部には、長手状のガイド部材５０ａが取付けられている。ガイドレール５０の底部５０ｂとガイド部材５０ａとの間には、遮断器本体１が配電盤に取付けられる際に車輪２０が進入される。すなわち、ガイドレール５０は、遮断器本体１が配電盤に取付けられる際に遮断器本体１の前後移動を案内する。ガイド部材５０ａの前部には、車輪止５０ｃが取り付けられるようになっている。この車輪止５０ｃは、ガイドレールユニット５の前方からガイドレールユニット５内に遮断器本体１が挿入された後に、遮断器本体１の前後移動を規制するためのものである。
【００１５】
ガイドレール５０の底部５０ｂ及び底板５３には、取付穴５３ａが設けられている。取付穴５３ａは、旧遮断器の据付穴に合致する位置に配置されている。ガイドレールユニット５が配電盤内に配置された後に取付穴５３ａにボルトが取付けられることで、ガイドレールユニット５が配電盤内で固定される。
【００１６】
絶縁板５４には複数の挿通孔５４ａが形成されており、各挿通孔５４ａには第２アタッチメント６がそれぞれ挿通されている。第２アタッチメント６は、上述の第１アタッチメント３とともに遮断器本体１と配電盤との間を中継する導体であり、前方から取付ボルト７により絶縁板５４に固定されている。
【００１７】
次に、図４は図３の第２アタッチメント６を示す平面図であり、図５は図４の第２アタッチメント６を示す側面図である。図４及び図５に示すように、第２アタッチメント６には、第１接続片６０、アタッチメント本体６１、及び第２接続片６２が設けられている。
【００１８】
第１接続片６０は、アタッチメント本体６１の一端から突出されるとともにアタッチメント本体６１の幅方向に沿って延在された舌片体であり、配電盤のブスバー８に接続されるものである。ブスバー８は互いに離間して配置された一対の導体板を含むものであり、第１接続片６０はそれら導体板の間に挿入されるとともに、ボルト及びナットによりそれら導体板（ブスバー８）に締結される。
【００１９】
アタッチメント本体６１は、上述のガイドレールユニット５が配電盤内に配置された際に絶縁板５４の後方に位置される板状体である。アタッチメント本体６１には、絶縁板５４を通して取付ボルト７が取付けられる複数のネジ穴が設けられている。
【００２０】
第２接続片６２は、アタッチメント本体６１の他端から突出されるとともにアタッチメント本体６１の高さ方向に沿って延在された舌片体であり、上述のガイドレールユニット５が配電盤内に配置された際に絶縁板５４の挿通孔５４ａに挿通される部分である。第２接続片６２には、複数のＵ字状の切欠６２ａが形成されている。これらの切欠６２ａには、ガイドレールユニット５内に遮断器本体１が挿入された際に締付部材４が挿入される。切欠６２ａに締付部材４が挿入された後に締付部材４が本締めされることで、第１アタッチメント３の導体板３０により第２接続片６２が挟持されて、第１アタッチメント３と第２アタッチメント６とが互いに接続される。
【００２１】
次に、上記のようなレトロフィット用遮断器を用いての配電盤改修方法について説明する。図６は、図１〜図５のレトロフィット用遮断器を用いての配電盤改修方法を示す説明図である。既設の配電盤において遮断器を更新する改修を行う場合には、まず、配電盤から旧遮断器を取り外した後に、第２アタッチメント６の第１接続片６０をブスバー８に挿入するともにボルト及びナットにより締結することで、第２アタッチメント６をブスバー８に接続する（ステップＳ１）。
【００２２】
その次に、第２アタッチメント６の第２接続片６２を絶縁板５４の挿通孔５４ａに挿通しつつ配電盤内にガイドレールユニット５を配置する（ステップＳ２）。その次に、絶縁板５４の前方から取付ボルト７により第２アタッチメント６を絶縁板５４に固定するとともに（ステップＳ３）、取付穴５３ａにボルトを取付けることによりガイドレールユニット５を固定する（ステップＳ４）。
【００２３】
その次に、ガイドレール５０の底部５０ｂとガイド部材５０ａとの間に車輪２０を進入させながら、ガイドレールユニット５の前方から遮断器本体１を引出枠体２とともにガイドレールユニット５内に奥まで挿入する（ステップＳ５）。
【００２４】
このとき、ガイドレール５０により遮断器本体１の前後移動が案内されることにより、第１アタッチメント３の導体板３０間に第２アタッチメント６の第２接続片６２が進入されるとともに、締付部材４が第２アタッチメント６の切欠６２ａ内に挿入される。この状態で、例えばラチェット等の締付工具を遮断器本体１の前面から遮断器本体１の上部又は引出枠体２の側部の隙間を通して進入させて、締付部材４の本締めを行う（ステップＳ６）。この本締めを行うことにより第１アタッチメント３の導体板３０が第２アタッチメント６の第２接続片６２を挟持して、第１アタッチメント３と第２アタッチメント６とが互いに接続される。すなわち、遮断器本体１の遮断器端子１０とブスバー８との間が第１及び第２アタッチメント３，６により中継される。そして、最後にガイドレール５０の前部に車輪止５０ｃを取付けて遮断器本体１の前後移動を規制する（ステップＳ７）。
【００２５】
このようなレトロフィット用遮断器及びそれを用いての配電盤改修方法では、遮断器本体１をガイドレールユニット５内に挿入することで切欠６２ａに挿入された締付部材４を本締めすることにより、既設の遮断器に代えて遮断器本体１をブスバー８に接続するので、配電盤前面からの狭いスペースでも盤奥に締付工具と手が入れば接続作業が可能になり、すべての作業は盤前面から行うことができる。これにより、構造物の一部を解体することなく配電盤の前面から換装作業を容易に行うことができ、作業時間及び停電時間を短縮できる。また、配電盤への取り付けは予め組み立てられたガイドレールユニット５及び第２アタッチメント６のみであるため、軽量かつ作業スペースを広く取ることができ、作業性に優れる。さらに、ガイドレールユニット５により遮断器本体１の前後移動を案内するので、ガイドレールユニット５内に遮断器本体１を挿入することで締付部材４を切欠６２ａにより確実に挿入でき、作業性に優れる。
【００２６】
また、第１アタッチメント３は、遮断器端子１０を挟んで互いに離間して配置されるとともに、締付部材４が仮締めされた一対の導体板３０を含んでおり、第２アタッチメント６は、遮断器本体１がガイドレールユニット５内に挿入された際に導体板３０の間に進入されるとともに、切欠６２ａが形成された第２接続片６２を含んでいるので、より確実に配電盤の前面から換装作業を容易に行うことができ、作業時間及び停電時間をより確実に短縮できる。
【００２７】
さらに、複数の車輪２０を有する引出枠体２に載せた状態で遮断器本体１をガイドレールユニット５内に挿入するので、運搬、移動及び盤内への搬入を容易にすることができ、作業時間及び停電時間をより確実に短縮できる。
【００２８】
なお、実施の形態では、レトロフィット用遮断器として遮断器本体１を引出枠体２に載せると説明したが、遮断器本体の構成によっては遮断器本体単体をガイドレールユニットに挿入してもよい。
【符号の説明】
【００２９】
１  遮断器本体
１０  遮断器端子
２  引出枠体
２０  車輪
３  第１アタッチメント
３０  導体板
４  締付部材
５  ガイドレールユニット
５４  絶縁板
５４ａ  挿通孔
６  第２アタッチメント
６２  第２接続片
６２ａ  切欠
８  ブスバー
【図１】
2014107926.tif 000003
【図２】
2014107926.tif 000004
【図３】
2014107926.tif 000005
【図４】
2014107926.tif 000006
【図５】
2014107926.tif 000007
【図６】
2014107926.tif 000008
【図７】
2014107926.tif 000009